(57)【要約】【課題】本発明は、送信機及び受信機の設置状況を従来と比してより詳細により通知する。【解決手段】本発明は、受信機３が、送信機２と無線接続することができる無線チャンネルを検出し、かつ所定時間当たりの伝送エラー数が閾値より高いとされる領域をディスプレイ５及びスピーカ６を介して映像及び音声により通知するようにしたことにより、送信機２及び受信機３の設置状況を従来と比してより詳細により通知することができる。【選択図】図５
2009302929.tif 000002
【特許請求の範囲】
【請求項１】
送信機と無線接続することができる周波数帯域を検出する帯域検出部と、
上記帯域検出部により検出された上記周波数帯域を用いて上記送信機から送信される映像データの伝送品質レベルを検出する品質検出部と、
上記送信機と無線接続することができる上記周波数帯域が検出され、かつ上記伝送品質レベルが所定の閾値より高いと検出される領域を通知する通知部と
を具える受信機。
【請求項２】
上記閾値を可変に設定する閾値設定部と
を具える請求項１に記載の受信機。
【請求項３】
上記通知部は、上記伝送品質レベルに応じた通知を行う
請求項２に記載の受信機。
【請求項４】
上記通知部は、
上記送信機と無線接続することができる上記周波数帯域が検出され、かつ上記伝送品質レベルが所定の閾値より高いと検出される領域をスピーカを介して音声で通知する
請求項３に記載の受信機。
【請求項５】
上記品質検出部は、
上記送信機から送信される上記映像データの伝送エラー率により上記伝送品質レベルを検出する
請求項３に記載の受信機。
【請求項６】
上記品質検出部は、
上記送信機から送信される上記映像データのノイズ比により上記伝送品質レベルを検出する
請求項３に記載の受信機。
【請求項７】
送信機と無線接続することができる周波数帯域を検出する帯域検出ステップと、
上記帯域検出部により検出された上記周波数帯域を用いて上記送信機から送信される映像データの伝送品質レベルを検出する品質検出ステップと、
上記送信機と無線接続することができる上記周波数帯域が検出され、かつ上記伝送品質レベルが所定の閾値より高いと検出される領域を通知する通知ステップと
を具える設置状況通知方法。
【請求項８】
映像データを送信する送信機と、当該映像データを受信する受信機とを有し、
上記送信機は、
上記映像データを取得する取得部と
上記映像データを無線通信する送信部と
を具え、
上記受信部は、
上記送信機と無線接続することができる周波数帯域を検出する帯域検出部と、
上記帯域検出部により検出された上記周波数帯域を用いて上記送信機から送信される映像データの伝送品質レベルを検出する品質検出部と、
上記送信機と無線接続することができる上記周波数帯域が検出され、かつ上記伝送品質レベルが所定の閾値より高いと検出される領域を通知する通知部と
を具える送受信システム。
【発明の詳細な説明】
【技術分野】
【０００１】
本発明は、受信機、設置状況通知方法及び送受信システムに関し、例えば送信機と受信機とが無線接続されるテレビジョン受像機に適用して好適なものである。
【背景技術】
【０００２】
近年、液晶パネルや有機ＥＬ（Electroluminescence）パネル等でなるディスプレイが設けられたテレビジョン受像機が普及し、それに伴いテレビジョン受像機の薄型化が求められてきている。
【０００３】
そこでテレビジョン受像機のなかには、薄型化を図るため、チューナやデコーダ等からなる送信機を、ディスプレイやスピーカ等からなる受信機と別体にし、当該送信機と受信機とを無線により接続したものが提案されている（例えば、特許文献１参照）。
【０００４】
そしてテレビジョン受像機は、送信機と受信機との無線接続が確立したとき、例えば送信機に設けられたＬＥＤ（Light Emitting Diode）を点灯させたり、受信機のディスプレイに無線接続が確立した旨のメッセージを表示するようになされている。
【特許文献１】特開２００８−６１０５６公報
【発明の開示】
【発明が解決しようとする課題】
【０００５】
ところで無線伝送では、伝送距離が長くなるほど、伝送速度が低くなることが知られている。
【０００６】
従ってテレビジョン受像機では、送信機及び受信機がユーザによって設置される際、送信機と受信機との無線接続が確立したとしても、送信機と受信機との距離が離れており、送信機から受信機へ送信される映像データの伝送速度が低いため、映像データに対応する映像をディスプレイに表示することができないことがある。
【０００７】
しかしながら、このようなテレビジョン受像機は、送信機と受信機との無線接続が確立しているため、無線接続が確立した旨のメッセージを表示してしまい、ディスプレイに映像を表示することができない状況をユーザに対して通知することができないという問題があった。
【０００８】
本発明は以上の点を考慮してなされたもので、送信機及び受信機の設置状況を従来と比してより詳細により通知し得る受信機、設置状況通知方法及び送受信システムを提案しようとするものである。
【課題を解決するための手段】
【０００９】
かかる課題を解決するため本発明の受信機においては、送信機と無線接続することができる周波数帯域を検出する帯域検出部と、帯域検出部により検出された周波数帯域を用いて送信機から送信される映像データの伝送品質レベルを検出する品質検出部と、送信機と無線接続することができる周波数帯域が検出され、かつ伝送品質レベルが所定の閾値より高いと検出される領域を通知する通知部とを設けるようにした。
【００１０】
また本発明の設置位置案内方法においては、送信機と無線接続することができる周波数帯域を検出する帯域検出ステップと、帯域検出部により検出された周波数帯域を用いて送信機から送信される映像データの伝送品質レベルを検出する品質検出ステップと、送信機と無線接続することができる周波数帯域が検出され、かつ伝送品質レベルが所定の閾値より高いと検出される領域を通知する通知ステップとを設けるようにした。
【００１１】
さらに本発明の送受信システムにおいては、映像データを送信する送信機と、当該映像データを受信する受信機とを有し、送信機は、映像データを取得する取得部と、上記映像データを無線通信する送信部とを具え、受信部は、送信機と無線接続することができる周波数帯域を検出する帯域検出部と、帯域検出部により検出された周波数帯域を用いて送信機から送信される映像データの伝送品質レベルを検出する品質検出部と、送信機と無線接続することができる周波数帯域が検出され、かつ伝送品質レベルが所定の閾値より高いと検出される領域を通知する通知部とを設けるようにした。
【００１２】
これにより、送信機と無線接続することができる周波数帯域を検出し、その周波数帯域を用いて送信機から送信される映像データの伝送品質レベルを検出するので、送信機と無線接続することができる周波数帯域が検出され、かつ伝送品質レベルが閾値より高いと検出される領域を通知することができる。
【発明の効果】
【００１３】
本発明によれば、送信機と無線接続することができる周波数帯域を検出し、その周波数帯域を用いて送信機から送信される映像データの伝送品質レベルを検出するので、送信機と無線接続することができる周波数帯域が検出され、かつ伝送品質レベルが所定の閾値より高いと検出される領域を通知することができ、かくして送信機及び受信機の設置状況を従来と比してより詳細により通知し得る受信機、設置状況通知方法及び送受信システムを実現することができる。
【発明を実施するための最良の形態】
【００１４】
以下に、図面について、本発明の一実施の形態を詳述する。
【００１５】
（１）テレビジョン受像機の構成
（１−１）テレビジョン受像機の全体構成
図１に示すように、本発明の一実施の形態としてのテレビジョン受像機１は、送信機２、受信機３及び映像音声出力部４により構成されており、送信機２と受信機３とが無線接続されている。
【００１６】
送信機２は、アンテナＡＮＴにより受信したテレビジョン放送信号に対して復号処理等を施し、その結果得られる映像データ及び音声データ等からなるＡＶ（Audio Visual）信号を受信機３へ無線伝送するようになされている。
【００１７】
受信機３は、送信機２から無線伝送されたＡＶ信号を受信すると、そのＡＶ信号に対して所定の信号処理等を施し、その結果得られる映像データ及び音声データをＨＤＭＩ（High-Definition Multimedia Interface）等からなるケーブル７を介して映像音声出力部４へ送信する。
【００１８】
映像音声出力部４は、受信機３から映像データ及び音声データを受信すると、その映像データに対応した映像をディスプレイ５に表示すると共に、音声データに対応した音声をスピーカ６から出力するようになされている。
【００１９】
（１−２）送信機の回路構成
図２に示すように送信機２は、ＣＰＵ２１がＲＯＭ２２から読み出してＲＡＭ２３に起動した基本プログラムに従い、バス２０を介して全体を統括制御すると共に、各種アプリケーションプログラムに従って種々の処理を実行し得るようになされている。
【００２０】
送信機２は、例えばIEEE（Institute of Electrical and Electronics Engineers）802.11系の無線通信モジュール等でなる無線通信部２４が設けられており、例えば異なる４つの周波数帯域でなる４つの無線チャンネル（第１〜第４無線チャンネル）のうち、例えば第１無線チャンネルに無線通信部２４を設定する。そして送信機２は、その第１無線チャンネルを用いて無線通信部２４を介して受信機３と無線接続するようになされている。
【００２１】
ＣＰＵ２１は、無線通信部２４を介して受信機３と無線接続する際、当該無線通信部２４が設定している無線チャンネルをペアリング結果として記憶部２５に記憶するようになされている。
【００２２】
チューナ部２６は、放送局から放送されるテレビジョン放送信号をアンテナＡＮＴを介して受信すると、そのテレビジョン放送信号から所定の放送チャンネルに対応するテレビジョン選局信号を抽出し、その抽出したテレビジョン選局信号をデコード部２７へ送出する。
【００２３】
デコード部２７は、チューナ２６から供給されるテレビジョン選局信号を復号し、その結果得られる映像データ及び音声データをパケット化部２８へ送出する。
【００２４】
パケット化部２８は、デコード部２７から供給された映像データ及び音声データをそれぞれ所定のデータ長に分割し、その分割された映像データ及び音声データに対してそれぞれヘッダ及び誤り検出符号（以下、これをＣＲＣ（Cyclic Redundancy Check）と呼ぶ）を付加することによりパケットデータを生成する。そしてパケット化部２８は、無線通信部２４を介して受信機３へ多数のパケットデータからなるＡＶ信号を出力する。
【００２５】
また送信機２は、ＤＶＤ（Digital Versatile Disc）レコーダやＢｌｕ−Ｒａｙ（登録商標）プレーヤ等の外部機器が例えばＨＤＭＩケーブルを介して外部接続インタフェース２９に接続され、その外部機器から映像データ及び音声データが入力されると、その映像データ及び音声データを取得し得るようになされている。
【００２６】
そして送信機２は、テレビジョン放送信号を受信した場合と同様に、外部機器から取得した映像データ及び音声データをパケット化部２８へ送出すると、パケット化部２８により多数のパケットデータからなるＡＶ信号を生成し、そのＡＶ信号を無線通信部２４を介して受信機３へ出力するようになされている。
【００２７】
（１−３）受信機の回路構成
図３に示すように受信機３は、ＣＰＵ３１がＲＯＭ３２から読み出してＲＡＭ３３に起動した基本プログラムに従い、バス３０を介して全体を統括制御すると共に、各種アプリケーションプログラムに従って種々の処理を実行し得るようになされている。
【００２８】
受信機３は、送信機２と同様に、例えばIEEE802.11系の無線通信モジュール等でなる無線通信部３４が設けられており、例えば異なる４つの周波数帯域でなる４つの無線チャンネルのうち、送信機２の無線通信部２４と同一の無線チャンネルに設定する。そして受信機３は、その設定した無線チャンネルを用いて送信機２と無線接続するようになされている。
【００２９】
ＣＰＵ３１は、無線通信部３４を介して送信機２と無線接続する際、当該無線通信部３４が設定している無線チャンネルをペアリング結果として記憶部３５に記憶するようになされている。
【００３０】
受信機３は、送信機２から無線通信部３４を介してＡＶ信号を受信すると、そのＡＶ信号をエラー検出部３８へ送出する。
【００３１】
エラー検出部３８は、無線通信部３４を介してＡＶ信号が供給されると、当該ＡＶ信号を多数のパケットデータに分割し、そのパケットデータに付加されたＣＲＣを用いて、パケットデータのヘッダ及び所定長の映像データ又は音声データに伝送エラーがあるか否かを検出する。
【００３２】
エラー検出部３８は、このようなエラーチェック処理を行った後、パケットデータを信号処理部３９へ送出する。
【００３３】
信号処理部３９は、エラー検出部３８から供給されたパケットデータを、当該パケットデータに付加されたヘッダに基づいて映像データ及び音声データに分離し、その映像データ及び音声データを外部接続インタフェース４０及びケーブル７（図１）を介して映像音声出力部４（図１）へ出力する。
【００３４】
映像音声出力部４は、受信機３からケーブル７を介して映像データ及び音声データを受信すると、その映像データに対応した映像をディスプレイ５に表示すると共に、音声データに対応した音声をスピーカ６を介して出力するようになされている。
【００３５】
ところで受信機３では、リモートコントローラ（以下、これをリモコンと呼ぶ）３６からの命令を受光部３７を介して受け取り、その命令をＣＰＵ３１へ伝達することにより、当該命令に応じた各種処理を実行するようになされている。
【００３６】
（２）設置状況通知処理手順
次に、送信機２及び受信機３がユーザによって設置される際、送信機２と受信機３とが無線接続でき、かつＡＶ信号の伝送エラーが少ない設置領域を当該ユーザに対して通知する設置状況通知処理手順について説明する。
【００３７】
テレビジョン受像機１では、送信機２及び受信機３がユーザ所望の設置位置に配置され、送信機２及び受信機３の電源ボタン（図示せず）が押下操作されたことに応じて電源電力が供給される。そしてテレビジョン受像機１では、例えば送信機２及び受信機３との無線接続を確立するための設置検証メニューが例えばリモコン３６を介して選択されると、送信機２及び受信機３が設置状況通知処理を実行する。
【００３８】
受信機３のＣＰＵ３１は、図４及びこれに続く図５に示すように、ステップＳＰ１において、第１無線チャンネルから第４無線チャンネルまで順に無線通信部３４を設定し、その設定した第１〜第４無線チャンネルを用いて無線通信部３４を介して、送信機２と無線接続することができるか否かを検証するための接続検証信号を順に送信機２へ送信する。
【００３９】
一方、送信機２のＣＰＵ２１は、ステップＳＰ２１において、受信機３から送信された接続検証信号を例えば第１、第２及び第４無線チャンネルで受信した場合、その第１、第２及び第４無線チャンネルに無線通信部２４を順に設定する。そして送信機２のＣＰＵ２１は、受信機３から送信された接続検証信号に対応する接続検証返答信号を第１、第２及び第４無線チャンネルを用いて無線通信部２４から受信機３へ順に送信する。
【００４０】
受信機３のＣＰＵ３１は、ステップＳＰ１において接続検証信号を送信機２へ送信すると、ステップＳＰ１からステップＳＰ２へ移る。ステップＳＰ２において受信機３のＣＰＵ３１は、送信機２から接続検証返答信号を受信したか否かを判断し、肯定結果が得られると、このことは、送信機２と受信機３とが無線接続することができることを表しており、次のステップＳＰ４（図５）へ移る。
【００４１】
これに対してステップＳＰ２において否定結果が得られると、このことは、送信機２と受信機３とが全ての無線チャンネルで無線接続することができないことを表しており、受信機３のＣＰＵ３１は、次のステップＳＰ３へ移る。
【００４２】
ここで送信機２と受信機３とが無線接続することができない原因としては、例えば送信機２と受信機３との距離が離れすぎており、受信機３から送信した接続検証信号が送信機２へ届かない場合がある。また別の原因として、例えば送信機２及び受信機３の一方又は双方が金属製の棚やラック等に設置され、受信機３から送信した電波が当該棚やラック等に遮蔽されている場合もある。
【００４３】
そこで、ステップＳＰ３において受信機３のＣＰＵ３１は、通信不可メッセージが示された通信不可映像データ及び通信不可音声データを外部接続インタフェース４０を介して映像音声出力部４へ出力し、ステップＳＰ１２へ移って処理を終了する。ここで通信不可メッセージは、送信機２と受信機３とが無線通信できない旨が示されており、例えば「送信機と受信機との距離を近づけてください」や「送信機及び受信機を金属製の棚やラックには置かないでください」等である。
【００４４】
このとき映像音声出力部４は、受信機３から通信不可映像データ及び通信不可音声データを受信すると、通信不可映像データに対応した映像をディスプレイ５に表示すると共に、通信不可音声データに対応した音声をスピーカ６を介して出力するようになされている。
【００４５】
これにより受信機３は、ユーザに対して、送信機２と受信機３とが無線接続できなかった旨を通知すると共に、その原因として、送信機２と受信機３との距離が遠い、又は受信機３から送信した電波が電波阻害要因に遮蔽されていることを通知し得るようになされている。
【００４６】
送信機２のＣＰＵ２１は、ステップＳＰ２１において接続検証返答信号を受信機３へ送信すると、ステップＳＰ２１からステップＳＰ２２へ移る。ステップＳＰ２２において送信機２のＣＰＵ２１は、ステップＳＰ２１において接続検証信号を受信することができた第１、第２及び第４無線チャンネルのうち、例えば第１無線チャンネルに無線通信部２４を設定し、次のステップＳＰ２３へ移る。
【００４７】
ステップＳＰ２３において送信機２のＣＰＵ２１は、ステップＳＰ２２において設定した無線チャンネル（この場合、第１無線チャンネル）を用いてＡＶ信号を無線通信部２４から受信機３へ送信する。
【００４８】
一方、ステップＳＰ４において受信機３のＣＰＵ３１は、送信機２からＡＶ信号を無線通信部２４を介して受信すると、そのＡＶ信号を多数のパケットデータに分割した後、そのパケットデータに対してエラー検出部３８によりエラーチェック処理を実行する。そして受信機３のＣＰＵ３１は、例えばパケットデータの伝送エラー率がディスプレイ５に対して映像を表示することができない程度の値に設定された閾値より低いか否かを判断する。
【００４９】
ここで無線通信では、伝送距離が長くなるほど伝送速度が低くなることから、伝送距離が長くなるほど伝送エラー率が増加することになる。
【００５０】
従ってステップＳＰ４において肯定結果が得られると、このことは、送信機２から送信されたＡＶ信号に伝送エラー率が低く、送信機２及び受信機３の設置位置が良好であることを表しており、このとき受信機３のＣＰＵ３１は、次のステップＳＰ５へ移る。
【００５１】
ステップＳＰ５において受信機３のＣＰＵ３１は、例えば「設置状況が良好です」等の設置良好メッセージが示された設置良好映像データ及び設置良好音声データを外部接続インタフェース４０を介して映像音声出力部４へ出力し、ステップＳＰ６へ移る。
【００５２】
映像音声出力部４は、受信機３から設置良好映像データ及び設置良好音声データを受信すると、設置良好映像データに対応した映像をディスプレイ５に表示すると共に、設置良好音声データに対応した音声をスピーカ６を介して出力するようになされている。
【００５３】
これにより受信機３は、ユーザに対して、送信機２及び受信機３の設置位置が良好である旨を通知し得るようになされている。
【００５４】
ステップＳＰ６において受信機３のＣＰＵ３１は、現在無線通信部３４が設定している無線チャンネル（この場合、第１無線チャンネル）をペアリング結果として記憶部３５に記憶し、次のステップＳＰ１２へ移って処理を終了する。
【００５５】
これに対してステップＳＰ４において否定結果が得られると、このことは、受信機３が、送信機２と受信機３との間で無線接続することはできる領域にあり、かつディスプレイ５に対して映像を表示することができないほど伝送エラー率が高い領域にあることを表している。または送信機２の無線通信部２４が設定している無線チャンネルから送信されたＡＶ信号と、他の無線機器から送信された信号とが混線している場合も考えられる。
【００５６】
そこで受信機３のＣＰＵ３１は、ステップＳＰ４において否定結果が得られると、次のステップＳＰ７へ移り、設置状況不良メッセージが示された設置不良映像データ及び設置不良音声データを外部接続インタフェース４０を介して映像音声出力部４へ出力し、次のステップＳＰ８へ移る。ここで設置状況不良メッセージは、例えば「設置状況が不良です。無線チャンネルを変更するか、送信機と受信機との距離を近づけてください」等である。
【００５７】
映像音声出力部４は、受信機３から設置不良映像データ及び設置不良音声データを受信すると、設置不良映像データに対応した映像をディスプレイ５に表示すると共に、設置不良音声データに対応した音声をスピーカ６を介して出力するようになされている。
【００５８】
これにより受信機３は、ユーザに対して、送信機２及び受信機３の設置位置が不良である旨を通知すると共に、その対策として、無線チャンネルを変更するか、送信機２と受信機３との距離を近づけるよう通知し得るようになされている。
【００５９】
ステップＳＰ８において受信機３のＣＰＵ３１は、例えばユーザによりリモコン３６を介して無線チャンネル変更操作がなされたか否かを判断し、否定結果が得られるとステップＳＰ４へ戻ってＡＶ信号の品質測定を再び開始する。
【００６０】
これに対してステップＳＰ８において肯定結果が得られると、このとき受信機３のＣＰＵ３１は、次のステップＳＰ９へ移る。
【００６１】
ステップＳＰ９において受信機３のＣＰＵ３１は、現在設定している無線チャンネルとは異なる無線チャンネルでＡＶ信号を送信させるための無線チャンネル変更信号を送信機２へ送信する。
【００６２】
送信機２のＣＰＵ２１は、ステップＳＰ２３においてＡＶ信号を受信機３へ送信すると、ステップＳＰ２３からステップＳＰ２４へ移る。ステップＳＰ２４において送信機２のＣＰＵ２１は、受信機３から送信された無線チャンネル変更信号を受信したか否かを判断する。
【００６３】
ステップＳＰ２４において否定結果が得られると、このことは、受信機３が、現在設定している無線チャンネルにおいて、閾値より低い伝送エラー率でＡＶ信号を受信していることを表しており、このとき送信機２のＣＰＵ２１は、次のステップＳＰ２５へ移る。
【００６４】
ステップＳＰ２５において送信機２のＣＰＵ２１は、無線通信部２４が現在設定している無線チャンネルをペアリング結果として記憶部２５に記憶し、次のステップＳＰ２９へ移って処理を終了する。
【００６５】
これに対してステップＳＰ２４において肯定結果が得られると、このことは、受信機３が現在設定している無線チャンネルを用いてＡＶ信号を受信する際、そのＡＶ信号の伝送エラー率が閾値より高いことを表しており、このとき送信機２のＣＰＵ２１は、次のステップＳＰ２６へ移る。
【００６６】
ステップＳＰ２６において送信機２のＣＰＵ２１は、ステップＳＰ２１において接続検証信号を受信することができた第１、第２及び第４無線チャンネルのうち、ＡＶ信号を送信していない無線チャンネルが存在するか否かを判断する。
【００６７】
ステップＳＰ２６において肯定結果が得られると、送信機２のＣＰＵ２１は、次のステップＳＰ２７へ移り、例えば第１無線チャンネルから第２無線チャンネルへ無線通信部２４の設定を変更し、ステップＳＰ２３へ戻る。
【００６８】
これに対してステップＳＰ２６において否定結果が得られると、このことは、ステップＳＰ２１において接続検証信号を受信することができた第１、第２及び第４無線チャンネルを用いて送信したＡＶ信号の伝送エラー率が閾値より高いことを表しており、このとき送信機２のＣＰＵ２１は、次のステップＳＰ２８へ移る。
【００６９】
ステップＳＰ２８において送信機２のＣＰＵ２１は、無線チャンネルを変更することができない旨を示した無線チャンネル変更不可信号を受信機３へ送信し、ステップＳＰ２９へ移って処理を終了する。
【００７０】
受信機３のＣＰＵ３１は、ステップＳＰ９において無線チャンネル変更信号を送信機２へ送信すると、ステップＳＰ９からステップＳＰ１０へ移る。ステップＳＰ１０において受信機３のＣＰＵ３１は、送信機２から無線チャンネル変更不可信号を受信したか否かを判断する。
【００７１】
ステップＳＰ１０において否定結果が得られると、このことは、送信機２が無線チャンネルを変更し、その変更した無線チャンネルを用いてＡＶ信号を送信してくることを表しており、このとき、受信機３のＣＰＵ３１は、ステップＳＰ４へ戻る。
【００７２】
これに対してステップＳＰ１０において肯定結果が得られると、このことは、送信機２と受信機３とが無線接続可能な全ての無線チャンネルにおいて、ＡＶ信号の伝送エラー率が閾値より高いことを表している。すなわち、送信機２及び受信機３の配置位置を変更しない限り、ＡＶ信号の伝送エラー率が低下しないことを表している。
【００７３】
そこでステップＳＰ１０において肯定結果が得られると、受信機３のＣＰＵ３１は、次のステップＳＰ１１へ移り、無線変更不可メッセージが示された無線変更不可映像データ及び無線変更不可音声データを外部接続インタフェース４０を介して映像音声出力部４へ出力し、次のステップＳＰ１２へ移って処理を終了する。ここで無線変更不可メッセージは、例えば「全ての無線チャンネルで伝送エラーが起きています。送信機と受信機との距離を近づけてください」等である。
【００７４】
映像音声出力部４は、受信機３から無線変更不可映像データ及び無線変更不可音声データを受信すると、無線変更不可映像データに対応した映像をディスプレイ５に表示すると共に、無線変更不可音声データに対応した音声をスピーカ６を介して出力するようになされている。
【００７５】
これにより受信機３は、ユーザに対して、送信機２と無線接続することができる全ての無線チャンネルでＡＶ信号の伝送エラー率が閾値より高い旨を通知すると共に、その対策として、送信機２と受信機３との距離を近づけるよう再び通知し得るようになされている。
【００７６】
（３）動作及び効果
以上の構成において、受信機３は、送信機２と無線接続することができる無線チャンネルを検出し、その検出した無線チャンネルにより送信されるＡＶ信号の伝送エラー率を検出する。
【００７７】
そして受信機３は、送信機２と無線接続することができる無線チャンネルを検出し、かつＡＶ信号の伝送エラー率が閾値より高いとされる領域にあることをディスプレイ５及びスピーカ６を介して映像及び音声により通知するようにした。これにより受信機３は、送信機２及び受信機３の設置状況を従来と比してより詳細により通知することができる。
【００７８】
ところでテレビジョン受像機１では、無線性能の向上により送信機２と受信機３との無線伝送距離が伸び、当該送信機２と受信機３とをより離すことができるようになってきている。
【００７９】
これによりテレビジョン受像機１では、送信機２と受信機３とをユーザに設置させる際、送信機２と受信機３とが無線接続することができたとしても、送信機２から受信機３へ送信されるＡＶ信号の伝送速度が低く、ＡＶ信号に多く伝送エラーが発生する領域が拡大することになる。
【００８０】
従って受信機３は、送信機２と無線接続することができる無線チャンネルを検出し、かつ伝送エラー率が閾値より高いとされる領域にある場合が増加すると考えられる。そこで受信機３では、送信機２と無線接続することができる無線チャンネルを検出し、かつ伝送エラー率が閾値より高いとされる領域にあることをユーザに通知することがより有用となる。
【００８１】
以上の構成によれば、送信機２と無線接続することができる無線チャンネルを検出し、かつ伝送エラー率が閾値より高いとされる領域に受信機３があることをディスプレイ５及びスピーカ６を介して映像及び音声により通知するようにした。これにより受信機３は、送信機２及び受信機３の設置状況を従来と比してより詳細により通知することができる。
【００８２】
（４）他の実施の形態
なお上述した実施の形態においては、受信機３がユーザに対してディスプレイ５及びスピーカ６を介して種々のメッセージを映像及び音声で通知するようにした場合について述べた。しかしながら本発明はこれに限らず、送信機２に例えばスピーカを設け、当該スピーカを介して種々のメッセージを音声で通知するようにしても良い。
【００８３】
このような送信機２は、例えば受信機３と異なる部屋に設置され、ディスプレイ５をユーザが目視確認できず、またスピーカ６から出力された音声を聴取できない場合、特に有効である。
【００８４】
また上述した実施の形態においては、受信機３がケーブル７を介して映像音声出力部４と接続するようにした場合について述べた。しかしながら本発明はこれに限らず、映像音声出力部４と受信機３とが一体型の構成となるようにしてもよい。
【００８５】
さらに上述した実施の形態においては、ＡＶ信号の伝送エラー率の閾値を、ディスプレイ５に対して映像を表示することができない程度の値に設定するようにした場合について述べた。しかしながら本発明はこれに限らず、例えば受信機３は、ユーザによるリモコン３６の操作に応じて閾値を可変するようにしてもよい。
【００８６】
この受信機３は、ユーザに閾値を選択させることにより、送信機２と無線接続可能な領域の中で、設置位置がユーザにとって良好と考えられる領域と不良と考えられる領域との境界を、映像品質の観点からユーザ自らに選択させることができる。
【００８７】
従って受信機３は、ユーザに閾値を選択させることにより、送信機２と受信機３との距離と映像の品質とのバランスを考慮させて、送信機２と受信機３とを設置させることができる。
【００８８】
さらに上述した実施の形態においては、ＡＶ信号の伝送エラー率の閾値をディスプレイ５に対して映像を表示することができない程度の値に設定し、その伝送エラー率が当該閾値より高いか否かをユーザに通知するようにした場合について述べた。しかしながら本発明はこれに限らず、受信機３は、ＡＶ信号の伝送エラー率に応じて例えばスピーカ６から出力する音量を変化させるようにしても良い。
【００８９】
具体的には、受信機３は、ＡＶ信号の伝送エラー率が０のときを０とし、またディスプレイ５に対して映像を表示することができない程度の伝送エラー率のときを９として、伝送エラー率に応じて例えば１０段階にスピーカ６から出力する音量を変化させるようにする。
【００９０】
これにより受信機３は、スピーカ６から出力する音量をユーザに対して聴取させながら送信機２及び受信機３を設置させることができるので、送信機２及び受信機３の間の距離と映像の品質とのバランスを考慮した設置位置をユーザ自らに選択させることができる。
【００９１】
さらに上述した実施の形態においては、パケットデータに付加されたＣＲＣをチェックすることにより伝送品質レベルとして伝送エラー率を検出するようにした場合について述べた。しかしながら本発明はこれに限らず、例えば受信機３は、送信機２から受信したＡＶ信号を映像データ及び音声データに分離した後、当該映像データ又は音声データのＳ／Ｎ（Signal / Noise）比から伝送品質レベルを検出するようにしても良い。
【００９２】
また受信機３は、ＣＲＣを用いた伝送エラーチェック処理と、映像データ又は音声データのＳ／Ｎ（Signal / Noise）比から伝送品質レベルを検出する処理とを組み合わせることにより、送信機２から送信されるＡＶ信号の伝送品質レベルを検出するようにしても良い。
【００９３】
さらに上述した実施の形態においては、送信機３のＣＰＵ３１が、予めＲＯＭ３２に格納されているアプリケーションプログラムに従い、上述した設置状況通知処理手順を行うようにした場合について述べた。しかしながら本発明はこれに限らず、送信機３のＣＰＵ３１が、記憶媒体からインストールしたアプリケーションプログラムや、インターネットからダウンロードしたアプリケーションプログラム、その他種々のルートによってインストールしたアプリケーションプログラムに従って上述した設置状況通知処理手順を行うようにしても良い。
【００９４】
さらに上述した実施の形態においては、帯域検出部としてＣＰＵ３１、品質検出部としてエラー検出部３８、通知部としてＣＰＵ３１によって本発明の受信機としての受信機３を構成するようにした場合について述べたが、本発明はこれに限らず、この他種々の構成でなる帯域検出部、品質検出部、通知部によって受信機を構成するようにしても良い。
【産業上の利用可能性】
【００９５】
本発明の受信機は、送信機と受信機とが無線接続された例えば音楽再生機、パーソナルコンピュータ等に適用することができる。
【図面の簡単な説明】
【００９６】
【図１】テレビジョン受像機の全体構成を示す略線図である。
【図２】送信機の回路構成を示す略線図である。
【図３】受信機の回路構成を示す略線図である。
【図４】設置状況通知処理手順（１）の説明に供するシーケンスチャートである。
【図５】設置状況通知処理手順（２）の説明に供するシーケンスチャートである。
【符号の説明】
【００９７】
１……テレビジョン受像機、２……送信機、３……受信機、４……映像音声出力部、５……ディスプレイ、６……スピーカ、７……ケーブル、２０、３０……バス、２１、３１……ＣＰＵ、２２、３２……ＲＡＭ、２３、３３……ＲＯＭ、２４、３４……無線通信部、２５、３５……不揮発性メモリ、２６……チューナ部、２７……デコード部、２８……パケット化部、２９、４０……外部接続インタフェース、３６……リモートコントローラ、３７……受光部、３８……エラー検出部、３９……信号処理部。
【図１】
2009302929.tif 000003
【図２】
2009302929.tif 000004
【図３】
2009302929.tif 000005
【図４】
2009302929.tif 000006
【図５】
2009302929.tif 000007